(57)【特許請求の範囲】
【請求項１】
一対の短辺と一対の長辺を備えた地組織部の一側面の全域に、合成繊維フィラメント糸からなる柔軟な立毛繊維群を起立状態で形成し、前記地組織部の他側面には、直方体状の連続気泡の弾性発泡体を付設してある洗浄・清掃具であって、
前記立毛繊維群は、フィラメント繊度の異なる二種の合成繊維フィラメント糸を使用して、細繊度の立毛繊維群と太繊度の立毛繊維群とから構成されているとともに、前記細繊度の立毛繊維群の厚みと前記太繊度の立毛繊維群の厚みとが同一又は略同一に構成され、更に、前記細繊度の立毛繊維群は、前記地組織部の短辺方向視及び長辺方向視において長辺方向の全長及び短辺方向の全長に配置され、前記太繊度の立毛繊維群も、前記地組織部の短辺方向視及び長辺方向視において長辺方向の全長及び短辺方向の全長に配置され、且つ、前記細繊度の立毛繊維群同士及び前記太繊度の立毛繊維群同士は、前記地組織部の短辺方向視と長辺方向視及び対角方向視において重合する配置関係に構成されている洗浄・清掃具。
【請求項２】
前記細繊度の立毛繊維群と前記太繊度の立毛繊維群は、前記地組織部の一側面における短辺方向視と長辺方向視を含む全方向視において重合する配置関係に構成されている請求項１記載の洗浄・清掃具。
【発明の詳細な説明】
【技術分野】
【０００１】
本発明は、家庭やビル等での各種洗浄や清掃に用いられる洗浄・清掃用布帛で、詳しくは、地組織部の一側面に、合成繊維フィラメント糸からなる柔軟な立毛繊維群を起立状態で形成してある洗浄・清掃具に関する。
【背景技術】
【０００２】
この種の洗浄・清掃用布帛としては、立毛繊維群を構成する合成繊維フィラメント糸として、ポリエステルマルチフィラメント糸（３３０デシテックス／１５フィラメント）等の柔軟な細繊維フィラメント糸又は極細繊維フィラメント糸を用いたものが存在する（例えば、特許文献１参照）。
【先行技術文献】
【特許文献】
【０００３】
【特許文献１】特許第５１５４３６２号公報
【発明の概要】
【発明が解決しようとする課題】
【０００４】
従来の洗浄・清掃用布帛では、立毛繊維群を構成する柔軟な細繊維フィラメント糸又は極細繊維フィラメント糸が洗浄・清掃対象面に存在する無数の微小な凹部内に入り込んで当該凹部内の微細な汚れをスムーズに除去することができるとともに、洗浄・清掃対象面の傷付きを抑制することができる。反面、柔軟な細繊維フィラメント糸又は極細繊維フィラメント糸の腰・反発性が小さいため、洗浄・清掃対象面にこびり付いた汚れに対する汚れ除去性が低くなる不都合がある。
【０００５】
この実情に鑑み、本発明の主たる課題は、洗浄・清掃対象面の傷付きを抑制しながら、洗浄・清掃対象面の微小な凹部内に入り込んだ微細な汚れや表面にこびり付いた汚れに対する汚れ除去性を高めることができ、しかも、製作の容易化及び製作コストの低廉化を図ることのできる洗浄・清掃具を提供する点にある。
【課題を解決するための手段】
【０００６】
地組織部の一側面に、合成繊維フィラメント糸からなる柔軟な立毛繊維群を起立状態で形成してある洗浄・清掃用布帛であって、
前記立毛繊維群は、フィラメント繊度の異なる二種の合成繊維フィラメント糸を使用して、細繊度の立毛繊維群と太繊度の立毛繊維群とから構成されているとともに、前記細繊度の立毛繊維群の厚みと前記太繊度の立毛繊維群の厚みとが同一又は略同一に構成されている。
【０００７】
上記構成によれば、洗浄・清掃時に、細繊度の立毛繊維群を構成する柔軟な合成繊維フィラメント糸が洗浄・清掃対象面に存在する無数の微小な凹部内に入り込んで当該凹部内の微細な汚れを除去することができるとともに、洗浄・清掃対象面の傷付きを抑制することができる。
他方、太繊度の立毛繊維群を構成する合成繊維フィラメント糸は、繊度の増加によって腰・反発性が高まるため、この腰・反発性が増した太繊度の立毛繊維群によって、洗浄・清掃対象面にこびり付いている汚れを効果的に掻き落とすことができる。
【０００８】
しかも、細繊度の立毛繊維群の厚みと太繊度の立毛繊維群の厚みとが同一又は略同一に構成されているので、例えば、一方の太繊度の立毛繊維群又は細繊度の立毛繊維群の厚みを他方の細繊度の立毛繊維群又は太繊度の立毛繊維群の厚みよりも小さく構成する場合に比して、カットパイル等の簡易な製作方法を採用して能率良く安価に製作することができる。
【０００９】
したがって、同一又は略同一厚みの細繊度の立毛繊維群と太繊度の立毛繊維群とにより、洗浄・清掃対象面の傷付きを抑制しながら、洗浄・清掃対象面の微小な凹部内に入り込んだ微細な汚れや表面にこびり付いた汚れに対する汚れ除去性を高めることができ、しかも、製作の容易化及び製作コストの低廉化を図ることができる。
【００１０】
洗浄・清掃用布帛は、前記地組織部の一側面に対する前記細繊度の立毛繊維群の形成面積が前記太繊度の立毛繊維群の形成面積よりも大に構成されている。
【００１１】
上記構成によれば、前記細繊度の立毛繊維群よりも腰・反発性が高い太繊度の立毛繊維群の形成面積が小さいため、洗浄・清掃対象面にこびり付いた汚れに対する汚れ除去性を維持しつつ洗浄・清掃対象面の傷付きをより効果的に抑制することができる。
【００１２】
洗浄・清掃用布帛は、前記細繊度の立毛繊維群同士及び前記太繊度の立毛繊維群同士が、前記地組織部の一側面における直交する二方向視において重合又は近接する配置関係に構成されている。
【００１３】
上記構成によれば、洗浄・清掃対象面に対して地組織部の移動幅内で細繊度の立毛繊維群と太繊度の立毛繊維群とが共に作用する範囲が広くなり、洗浄・清掃用布帛の移動操作方向の自由度を高めながら汚れ除去性を一層高めることができる。
【００１４】
洗浄・清掃用布帛は、前記細繊度の立毛繊維群と前記太繊度の立毛繊維群とが、前記地組織部の一側面における一方向に交互に位置する状態でジグザグの帯状に配置されているとともに、前記細繊度の立毛繊維群の帯幅が前記太繊度の立毛繊維群の帯幅よりも大に構成されている。
【００１５】
上記構成によれば、地組織部を何れの方向に移動操作させても、洗浄・清掃対象面に対して、地組織部の移動幅内でジグザグ帯状の細繊度の立毛繊維群と太繊度の立毛繊維群とが共に交互に作用する範囲が広くなり、洗浄・清掃用布帛の移動操作方向の自由度を高めながら汚れ除去性を一層高めることができる。
しかも、細繊度の立毛繊維群の帯幅が腰・反発性が増した太繊度の立毛繊維群の帯幅よりも広いため、洗浄・清掃対象面の傷付きをより効果的に抑制することができる。
【００１６】
洗浄・清掃用布帛は、前記細繊度の立毛繊維群を構成する合成繊維フィラメント糸がポリエステルフィラメント糸から構成され、前記太繊度の立毛繊維群を構成する合成繊維フィラメント糸がナイロンフィラメント糸から構成されている。
【００１７】
上記構成によれば、細繊度の立毛繊維群を構成するヤング率の高いポリエステルフィラメント糸を細繊度とすることにより、洗浄・清掃対象面に存在する無数の微小な凹部内に入り込んだ微細な汚れを除去するのに適した腰・反発性を得ることができる。
また、太繊度の立毛繊維群を構成するヤング率の低いナイロンフィラメント糸を太繊度とすることにより、表面にこびりついた汚れの掻き落としに適した腰・反発性を得ることができる。
【００１８】
洗浄・清掃具は、前記洗浄・清掃用布帛の前記地組織部の他側面に連続気泡の弾性発泡体が付設されている。
【００１９】
上記構成によれば、前記各構成で述べた効果を奏するとともに、連続気泡の弾性発泡体に含浸された水や洗剤等の洗浄・清掃液を、地組織部を通過して細繊度の立毛繊維群と太繊度の立毛繊維群にスムースに供給することができ、洗浄・清掃対象面の汚れを湿潤状態で効率良く除去することができる。
そして、本発明による第１特徴構成は、一対の短辺と一対の長辺を備えた地組織部の一側面の全域に、合成繊維フィラメント糸からなる柔軟な立毛繊維群を起立状態で形成し、前記地組織部の他側面には、直方体状の連続気泡の弾性発泡体を付設してある洗浄・清掃具であって、
前記立毛繊維群は、フィラメント繊度の異なる二種の合成繊維フィラメント糸を使用して、細繊度の立毛繊維群と太繊度の立毛繊維群とから構成されているとともに、前記細繊度の立毛繊維群の厚みと前記太繊度の立毛繊維群の厚みとが同一又は略同一に構成され、更に、前記細繊度の立毛繊維群は、前記地組織部の短辺方向視及び長辺方向視において長辺方向の全長及び短辺方向の全長に配置され、前記太繊度の立毛繊維群も、前記地組織部の短辺方向視及び長辺方向視において長辺方向の全長及び短辺方向の全長に配置され、且つ、前記細繊度の立毛繊維群同士及び前記太繊度の立毛繊維群同士は、前記地組織部の短辺方向視と長辺方向視及び対角方向視において重合する配置関係に構成されている点にある。
本発明による洗浄・清掃具の第２特徴構成は、前記細繊度の立毛繊維群と前記太繊度の立毛繊維群は、前記地組織部の一側面における短辺方向視と長辺方向視を含む全方向視において重合する配置関係に構成されている点にある。
【図面の簡単な説明】
【００２０】
【図１】第１実施形態の洗浄・清掃用布帛を用いた洗浄・清掃具の斜視図
【図２】第１実施形態の洗浄・清掃用布帛を用いた洗浄・清掃具の平面図
【図３】第１実施形態の洗浄・清掃用布帛を用いた洗浄・清掃具の正面図
【図４】第２実施形態の洗浄・清掃用布帛の平面図
【図５】第３実施形態の洗浄・清掃用布帛の平面図
【図６】第４実施形態の洗浄・清掃用布帛の平面図
【図７】第４実施形態の洗浄・清掃用布帛を用いた洗浄・清掃具の正面図
【図８】第５実施形態の洗浄・清掃用布帛の平面図
【発明を実施するための形態】
【００２１】
〔第１実施形態〕
図１〜図３は、洗浄・清掃具の一例である家庭向けの樹脂タワシ１を示す。この樹脂タワシ１は、ウレタンフォーム製のスポンジ（連続気泡を備えた弾性発泡体の一例）からなる直方体状の清掃・洗浄本体（タワシ本体）２の一側面の全域に、合成繊維フィラメント糸３ａ，３ｂからなる洗浄・洗浄用の柔軟な立毛繊維群３が地組織部４の表裏面の一側面に起立状態で備えられている洗浄・清掃用布帛５が、接着剤や熱融着等により貼着されている。
【００２２】
洗浄・清掃用布帛５の地組織部４は、合成繊維フィラメント糸からなる地糸４ａを格子模様に編成した網状（換言すれば、メッシュ状）に構成され、洗浄・清掃時において、清掃・洗浄本体２で泡立った洗剤の泡や液体が地組織部４の網目４ｂを通して立毛繊維群３に直接的に流出可能に構成されている。
【００２３】
洗浄・清掃用布帛５の立毛繊維群３を構成する合成繊維フィラメント糸としては、フィラメント繊度（単繊維繊度）の異なる二種の合成繊維フィラメント糸３ａ，３ｂが用いられる。
相対的に細繊度の合成繊維フィラメント糸３ａとしては、白色のポリエステルマルチフィラメント糸（３３０デシテックス／１５フィラメント、標準直径０.０４５ｍｍ）を使用し、相対的に太繊度の合成繊維フィラメント糸３ｂとしては、透明なナイロンモノフィラメント糸（１号、２４５デシテックス、標準直径０.１６５ｍｍ）を使用する。
そして、洗浄・清掃用布帛５の立毛繊維群３は、ポリエステルマルチフィラメント糸３ａで編成される細繊度の立毛繊維群３Ａと、ナイロンモノフィラメント糸３ｂで編成される太繊度の立毛繊維群３Ｂとから構成されている。
【００２４】
洗浄・清掃時には、細繊度の立毛繊維群３Ａを構成する柔軟なポリエステルマルチフィラメント糸３ａが洗浄・清掃対象面に存在する無数の微小な凹部内に入り込んで当該凹部内の微細な汚れを除去することができるとともに、洗浄・清掃対象面の傷付きを抑制することができる。
他方、太繊度の立毛繊維群３Ｂを構成するナイロンモノフィラメント糸３ｂは、繊度の増加によって腰・反発性が高まるため、この腰・反発性が増した太繊度の立毛繊維群３Ｂによって、洗浄・清掃対象面にこびり付いている汚れを効果的に掻き落とすことができる。
【００２５】
当該実施形態においては，フィラメント繊度の異なる二種の合成繊維フィラメント糸３ａ，３ｂの素材混率（％）は、ポリエステルマルチフィラメント糸３ａ：ナイロンモノフィラメント糸３ｂ＝８８：１２に構成されている。
【００２６】
細繊度の立毛繊維群３Ａの厚さと太繊度の立毛繊維群３Ｂの厚さとが同一又は略同一に構成されている。そのため、例えば、一方の太繊度の立毛繊維群３Ｂ又は細繊度の立毛繊維群３Ａの厚みを他方の細繊度の立毛繊維群３Ａ又は太繊度の立毛繊維群３Ｂの厚みよりも小さく構成する場合に比して、後述するカットパイル等の簡易な製作方法を採用して能率良く安価に製作することができる。
【００２７】
細繊度の立毛繊維群３Ａ及び太繊度の立毛繊維群３Ｂの各厚み寸法は、０．５ｍｍ〜１０．０ｍｍ（より好適には、２．０ｍｍ〜５．０ｍｍ）であることが好ましい。
当該実施形態においては、細繊度の立毛繊維群３Ａ及び太繊度の立毛繊維群３Ｂの各厚み寸法Ｈが夫々２．７ｍｍに設定されている。
【００２８】
さらに、細繊度の立毛繊維群３Ａ同士及び太繊度の立毛繊維群３Ｂ同士が、地組織部４の一側面における直交する二方向視（図２における短辺方向（Ｘ）視と長辺方向（Ｙ）視）において重合又は近接する配置関係に構成されている。
細繊度の立毛繊維群３Ａと太繊度の立毛繊維群３Ｂとは、地組織部４の一側面における直交する二方向の一方（短辺方向（Ｘ））において交互に帯状に配置され、且つ、一方向（短辺方向（Ｘ））で隣接する帯状の山部同士が重合又は近接するジグザグの帯状に形成されたジグザグ模様に構成されている。
具体的には、細繊度の複数の帯状の立毛繊維群３Ａ同士においては、地組織部４の短辺方向（Ｘ）視及び長辺方向（Ｙ）視において共に重合配置されている。
太繊度の複数の帯状の立毛繊維群３Ｂ同士は、地組織部４の短辺方向（Ｘ）視においては重合配置され、地組織部４の長辺方向（Ｙ）視においては近接配置されている。
【００２９】
そして、地組織部４の一側面における直交する二方向視での細繊度の立毛繊維群３Ａと太繊度の立毛繊維群３Ｂとの重合又は近接配置により、洗浄・清掃対象面に対して地組織部４の移動幅内で細繊度の立毛繊維群３Ａと太繊度の立毛繊維群３Ｂとが共に作用する範囲が広くなり、洗浄・清掃用布帛５を備えた樹脂タワシ１の移動操作方向の自由度を高めながら汚れ除去性を一層高めることができる。
【００３０】
細繊度の立毛繊維群３Ａの帯幅Ｗ１は太繊度の立毛繊維群３Ｂの帯幅Ｗ２よりも大に設定され、地組織部４の一側面に対する細繊度の立毛繊維群３Ａの形成面積が太繊度の立毛繊維群３Ｂの形成面積よりも大に構成されている。
これにより、細繊度の立毛繊維群３Ａよりも腰・反発性が高い太繊度の立毛繊維群３Ｂの形成面積が小さくなるため、洗浄・清掃対象面にこびり付いた汚れに対する汚れ除去性を維持しつつ洗浄・清掃対象面の傷付きをより効果的に抑制することができる。
【００３１】
当該実施形態では、図２に示すように、細繊度の立毛繊維群３Ａの帯幅Ｗ１が地組織部４の角目状の網目４ｂの４ピッチ（４Ｐ）相当幅に構成され、太繊度の立毛繊維群３Ｂの帯幅Ｗ２が地組織部４の網目４ｂの２ピッチ（２Ｐ）相当幅に構成されている。つまり、素材的には４：２の繰り返しになる。
【００３２】
本実施例では、地組織部４を構成する地糸４ａとしてポリエステルマルチフィラメント糸（２８０デシテックス／４８フィラメント）を用い、且つ、細繊度の立毛繊維群３Ａを構成するパイル糸としてポリエステルマルチフィラメント糸（３３０デシテックス／１５フィラメント）３ａと、太繊度の立毛繊維群３Ｂを構成するパイル糸としてナイロンモノフィラメント糸（１号、２４５デシテックス、標準直径０.１６５ｍｍ）３ｂを用い、市販の両面経編機により、１４ゲージ・２２コース／インチ、両面編針の設定で一対の地組織部４をパイル糸で連結した立体布帛を編成し、この立体布帛を半裁するカットパイル製法によって、立毛繊維群３の厚み寸法Ｈが２．７ｍｍの洗浄・清掃用布帛５を構成した。
また、本実施例では、コース１２本ピッチのジグザグ模様で、３インチ当たり、ポリエステルマルチフィラメント糸３ａが２８本、ナイロンモノフィラメント糸３ｂが１４本に設定されている。
【００３３】
ポリエステルフィラメント糸の素材としては、特に限定されないが、例えば、ポリエチレンテレフタレート、ポリプロピレンテレフタレート、ポリブチレンテレフタレート等のポリエステル類がある。
また、ナイロンフィラメント糸の素材も、特に限定されないが、例えば、ナイロン６、ナイロン６６、ナイロン４６、ナイロン１２、ナイロン６１０、ナイロン６１２或いはその共重合体などのポリアミド類がある。
【００３４】
当該実施形態では、細繊度の立毛繊維群３Ａの帯幅Ｗ１を地組織部４の網目４ｂの４ピッチ（４Ｐ）相当幅に構成し、太繊度の立毛繊維群３Ｂの帯幅Ｗ２を地組織部４の網目４ｂの２ピッチ（２Ｐ）相当幅に構成したが、地組織部４の網目４ｂのピッチ（Ｐ）に対する帯幅Ｗ１と帯幅Ｗ２との比率を４：１又は４：３等に構成してもよい。
【００３５】
また、当該実施形態では、細繊度の立毛繊維群３Ａ同士及び太繊度の立毛繊維群３Ｂ同士を、地組織部４の一側面における直交する二方向視の一例である樹脂タワシ１の短辺方向（Ｘ）視と長辺方向（Ｙ）視において重合又は近接する配置関係に構成したが、地組織部４の一側面における直交する二方向視としては、樹脂タワシ１の対角方向等であってもよい。
【００３６】
〔第２実施形態〕
図４は、上述の第１実施形態と同じ家庭向けの樹脂タワシ１の洗浄・清掃用布帛５を示す。この洗浄・清掃用布帛５の立毛繊維群３を構成する相対的に細繊度の立毛繊維群３Ａ同士、及び、相対的に太繊度の立毛繊維群３Ｂ同士は、地組織部４の一側面におけるにおける直交する二方向（短辺方向（Ｘ）と長辺方向（Ｙ））に対して交差する傾斜方向に沿って交互に直線状の帯状に配置された斜め縞模様に構成されている。
【００３７】
細繊度の立毛繊維群３Ａの帯幅Ｗ１は太繊度の立毛繊維群３Ｂの帯幅Ｗ２よりも大に設定され、地組織部４の一側面に対する細繊度の立毛繊維群３Ａの形成面積が太繊度の立毛繊維群３Ｂの形成面積よりも大に構成されている。
尚、その他の構成は、第１実施形態で説明した構成と同一であるから、同一の構成箇所には、第１実施形態と同一の番号を付記してそれの説明は省略する。
【００３８】
〔第３実施形態〕
図５は、上述の第１実施形態と同じ家庭向けの樹脂タワシ１の洗浄・清掃用布帛５を示す。この洗浄・清掃用布帛５の立毛繊維群３を構成する相対的に細繊度の立毛繊維群３Ａ同士、及び、相対的に太繊度の立毛繊維群３Ｂ同士は、地組織部４の一側面における直交する二方向視（短辺方向（Ｘ）視と長辺方向（Ｙ）視）において重合する配置関係に構成されている。
特に、本実施形態では、細繊度の立毛繊維群３Ａ同士、及び、相対的に太繊度の立毛繊維群３Ｂ同士は、地組織部４の一側面における全方向において重合する配置関係に構成されている。
【００３９】
具体的には、円形の輪郭形状に形成されている多数の細繊度の立毛繊維群３Ａは、地組織部４の一側面における直交する二方向（短辺方向（Ｘ）と長辺方向（Ｙ））に沿って千鳥状で、且つ、相互に隣接間に入り込む状態で配置して千鳥玉模様に構成され、地組織部４の一側面において連続する残余部分が太繊度の立毛繊維群３Ｂに構成されている。
【００４０】
当該実施形態では、地組織部４の短辺方向（Ｘ）視での細繊度の立毛繊維群３Ａの合計長さ及び太繊度の立毛繊維群３Ｂの合計長さが、地組織部４の長辺長さと同一に構成され、地組織部４の長辺方向（Ｙ）視での細繊度の立毛繊維群３Ａの合計長さ及び太繊度の立毛繊維群３Ｂの合計長さが、地組織部４の短辺長さと同一に構成されている。
【００４１】
また、当該実施形態においても、地組織部４の一側面に対する細繊度の立毛繊維群３Ａの形成面積が太繊度の立毛繊維群３Ｂの形成面積よりも大に構成されている。
尚、その他の構成は、第１実施形態で説明した構成と同一であるから、同一の構成箇所には、第１実施形態と同一の番号を付記してそれの説明は省略する。
【００４２】
〔第４実施形態〕
図６、図７は、ビル等の洗浄や床磨き、清掃等に使用される業務用の清掃・洗浄機に装着される洗浄・清掃具を示す。この洗浄・清掃具は、ウレタンフォーム製のスポンジ（連続気泡を備えた弾性発泡体の一例）からなる円板状の清掃・洗浄本体２の一側面の全域に、合成繊維フィラメント糸群からなる洗浄・洗浄用の柔軟な立毛繊維群３が地組織部４の表裏面の一側面に起立状態で備えられている洗浄・清掃用布帛５が接着剤や熱融着等により貼着されている。
【００４３】
また、清掃・洗浄本体２の中心部には、床面の汚水を吸引排出するための通路となる貫通孔６が形成されているとともに、清掃・洗浄本体２の他側面には、清掃・洗浄機の駆動回転部に脱着自在に装着するための面ファスナー７が接着剤や熱融着等により貼着されている。
【００４４】
洗浄・清掃用布帛５の立毛繊維群３を構成する合成繊維フィラメント糸としては、フィラメント繊度（単繊維繊度）の異なる二種の合成繊維フィラメント糸３ａ，３ｂが用いられる。
相対的に細繊度の合成繊維フィラメント糸３ａとしては、白色のポリエステルマルチフィラメント糸（３３０デシテックス／１５フィラメント、標準直径０.０４５ｍｍ）を使用し、相対的に太繊度の合成繊維フィラメント糸３ｂとしては、透明なナイロンモノフィラメント糸（１号、２４５デシテックス、標準直径０.１６５ｍｍ）を使用する。
そして、洗浄・清掃用布帛５の立毛繊維群３は、ポリエステルマルチフィラメント糸３ａで編成される細繊度の立毛繊維群３Ａと、ナイロンモノフィラメント糸３ｂで編成される太繊度の立毛繊維群３Ｂとから構成されている。
【００４５】
細繊度の立毛繊維群３Ａ及び太繊度の立毛繊維群３Ｂは、第１実施形態と同様に、地組織部４の一側面における直径方向に沿って交互に帯状に配置され、且つ、隣接する帯状の山部同士が重合又は近接するジグザグの帯状に形成したジグザグ模様に構成されている。
【００４６】
細繊度の立毛繊維群３Ａの帯幅Ｗ１は太繊度の立毛繊維群３Ｂの帯幅Ｗ２よりも大に設定され、地組織部４の一側面に対する細繊度の立毛繊維群３Ａの形成面積が太繊度の立毛繊維群３Ｂの形成面積よりも大に構成されている。
尚、その他の構成は、第１実施形態で説明した構成と基本的に同一であるから、同一の構成箇所には、第１実施形態と同一の番号を付記してそれの説明は省略する。
【００４７】
〔第５実施形態〕
図８は、上述の第４実施形態と同様に、業務用の清掃・洗浄機に装着される洗浄・清掃具を示す。この洗浄・清掃具に装備される洗浄・清掃用布帛５の立毛繊維群３は、相対的に細繊度の立毛繊維群３Ａと相対的に太繊度の立毛繊維群３Ｂとからなり、細繊度の立毛繊維群３Ａ及び太繊度の立毛繊維群３Ｂは、地組織部４の一側面における直径方向に沿って交互に直線状の帯状に配置された縞模様に構成されている。
【００４８】
細繊度の立毛繊維群３Ａの帯幅Ｗ１は太繊度の立毛繊維群３Ｂの帯幅Ｗ２よりも大に設定され、地組織部４の一側面に対する細繊度の立毛繊維群３Ａの形成面積が太繊度の立毛繊維群３Ｂの形成面積よりも大に構成されている。
尚、その他の構成は、第４実施形態で説明した構成と同一であるから、同一の構成箇所には、第４実施形態と同一の番号を付記してそれの説明は省略する。
【００４９】
〔その他の実施形態〕
（１）上述の実施形態では、太繊度の立毛繊維群３Ｂを構成する合成繊維フィラメント糸３ｂとしてナイロンモノフィラメント糸を用いたが、ナイロンマルチフィラメント糸を用いてもよい。
また、上述の実施形態では、立毛繊維群３を構成するフィラメント繊度の異なる二種の合成繊維フィラメント糸３ａ，３ｂとして、ポリエステルフィラメント糸とナイロンフィラメント糸とを用いたが、他の合成繊維フィラメント糸との組み合わせであってもよく、さらに、フィラメント繊度の異なる二種の同一樹脂系の合成繊維フィラメント糸を用いて実施してもよい。
【００５０】
（２）上述の実施形態では、地組織部４の一側面における細繊度の立毛繊維群３Ａの形成面積が太繊度の立毛繊維群３Ｂの形成面積よりも大に構成したが、地組織部４の一側面における細繊度の立毛繊維群３Ａの形成面積と太繊度の立毛繊維群３Ｂの形成面積とを同一に構成してもよく、さらに、太繊度の立毛繊維群３Ｂの形成面積を細繊度の立毛繊維群３Ａの形成面積よりも大に構成してもよい。
【符号の説明】
【００５１】
３      立毛繊維群
３Ａ    細繊度の立毛繊維群
３ａ    合成繊維フィラメント糸（ポリエステルマルチフィラメント糸）
３Ｂ    太繊度の立毛繊維群
３ｂ    合成繊維フィラメント糸（ナイロンモノフィラメント糸）
４      地組織部
【図１】
0006767094.tif 000002
【図２】
0006767094.tif 000003
【図３】
0006767094.tif 000004
【図４】
0006767094.tif 000005
【図５】
0006767094.tif 000006
【図６】
0006767094.tif 000007
【図７】
0006767094.tif 000008
【図８】
0006767094.tif 000009